(57)【特許請求の範囲】
【請求項１】
表示画面を有する表示部と、
把持可能な把持部と、
オンオフ操作可能な操作スイッチと、
前記把持部により本装置に与えられる前記表示画面の面内における第１の方向の動き及び第２の方向の動きを検出する動き検出部と、
前記操作スイッチがオフからオンに切り替えられた時には前記表示画面に複数のアイコンの一部を表示させ、前記操作スイッチがオフからオンに切り替えられた状態で前記動き検出部により前記第１の方向の動きが検出された時には前記表示画面に前記複数のアイコンの全体を表示させ、前記操作スイッチがオンされている間に前記動き検出部により前記第２の方向の動きが検出された時には前記第２の方向の動きとは反対の方向に前記表示画面上で前記複数のアイコンを移動させる表示制御部と、
前記操作スイッチがオフされた時、前記複数のアイコンのうちで前記表示画面上の特定の位置に表示されているアイコンに割り当てられている機能を実行する機能実行部と、
を備えたことを特徴とする表示装置。
【請求項２】
前記表示制御部は、前記表示画面上の前記特定の位置に表示されているアイコンを前記表示画面上の他の位置に表示されているアイコンとは異なる表示態様で表示することを特徴とする請求項１に記載の表示装置。
【請求項３】
画像を取得する画像取得部を備え、
前記表示制御部は、前記画像取得部によって取得された前記画像と前記アイコンとを重ね合わせて前記表示画面に表示させることを特徴とする請求項１または２に記載の表示装置。
【請求項４】
前記画像取得部は、撮像素子を有し、
前記動き検出部は、撮像時の手振れ補正用のセンサを用いて、前記動きを検出することを特徴とする請求項３に記載の表示装置。
【請求項５】
前記画像取得部は、撮像素子を有し、
前記動き検出部は、前記撮像素子で撮像された画像に基づいて、前記動きを検出することを特徴とする請求項３に記載の表示装置。
【請求項６】
前記表示制御部は、前記動き検出部で検出された前記動きの大きさが大きいほど前記アイコンの前記表示画面上での移動量を大きくすることを特徴とする請求項１ないし５のいずれか１項に記載の表示装置。
【請求項７】
表示画面を有する表示部、把持可能な把持部、および、オンオフ操作可能な操作スイッチを少なくとも備えた装置における操作制御方法であって、
前記把持部により前記装置に与えられる前記表示画面の面内における第１の方向の動き及び第２の方向の動きを検出するステップと、
前記操作スイッチがオフからオンに切り替えられた時には前記表示画面に複数のアイコンの一部を表示させ、前記操作スイッチがオフからオンに切り替えられた状態で前記第１の方向の動きが検出された時には前記表示画面に前記複数のアイコンの全体を表示させ、前記操作スイッチがオンされている間に前記第２の方向の動きが検出された時には前記第２の方向の動きとは反対の方向に前記表示画面上で前記複数のアイコンを移動させるステップと、
前記操作スイッチがオフされた時、前記複数のアイコンのうちで前記表示画面上の特定の位置に表示されているアイコンに割り当てられている機能を実行するステップと、
を備えたことを特徴とする操作制御方法。
【請求項８】
表示画面を有する表示部、把持可能な把持部、および、オンオフ操作可能な操作スイッチを少なくとも備えた装置で実行されるプログラムであって、
前記把持部により前記装置に与えられる前記表示画面の面内における第１の方向の動き及び第２の方向の動きを検出するステップと、
前記操作スイッチがオフからオンに切り替えられた時には前記表示画面に複数のアイコンの一部を表示させ、前記操作スイッチがオフからオンに切り替えられた状態で前記第１の方向の動きが検出された時には前記表示画面に前記複数のアイコンの全体を表示させ、前記操作スイッチがオンされている間に前記第２の方向の動きが検出された時には前記第２の方向の動きとは反対の方向に前記表示画面上で前記複数のアイコンを移動させるステップと、
前記操作スイッチがオフされた時、前記複数のアイコンのうちで前記表示画面上の特定の位置に表示されているアイコンに割り当てられている機能を実行するステップと、
を実行させることを特徴とするプログラム。
【発明の詳細な説明】
【技術分野】
【０００１】
本発明は、表示装置、操作制御方法およびプログラムに関し、特に、スイッチを少なくすることができるとともに簡単且つ確実な操作が可能になる表示装置、操作制御方法およびプログラムに関する。
【背景技術】
【０００２】
スイッチ（ボタン）を操作する代わりに手で振る操作を可能にした装置が知られている。例えば、振る操作で装置に生じた振動を加速度センサによって検知し、検知された振動に基づいて、スイッチを操作したときと同様な指令信号を生成する。
【０００３】
また、特許文献１には、振る操作で、モード移行を行う構成が開示されている。特許文献２には、振る操作で、再生画像のコマ送りを行なう構成が開示されている。特許文献３には、振る操作で、ＡＦエリア（測距エリア）を切り替える構成が開示されている。特許文献４には、垂直方向に振られたら、表示パネル上で点線カーソルから実線カーソルに切り替え、水平方向に振られたら、２点鎖線カーソルに切り替える構成が開示されている。
【特許文献１】特開２０００−１２５１８４号公報
【特許文献２】特開２００６−８７０４９号公報
【特許文献３】特開２００６−１７１４０８号公報
【特許文献４】特開２００６−１７３７７１号公報
【発明の開示】
【発明が解決しようとする課題】
【０００４】
特許文献１〜４には、周知のスイッチ操作の代わりに装置を振る操作をさせるという発想が記載されているけれども、実際にどのようにすれば簡単な操作が可能となり且つ確実な操作が可能になるのかについて、具体的な構成が記載されていない。
【０００５】
たしかに、特許文献１〜４に記載されているように、モード移行、コマ送り、ＡＦエリア切り替え、カーソル切り替えといったような周知のスイッチ操作を振る操作で代替することは可能であるけれども、振る操作を実際に行ってみると、ユーザ側の手を振る感覚と装置側の認識具合との間に隔たりがあり、ユーザの意図通りに操作できずにユーザが不快感を味わう。例えば、ユーザの意図とは異なるモードやコマが選択されてしまったり、取り消し操作が必要になったりして、試行錯誤を何度も繰り返えした上でやっと意図した通りに装置に認識される。すなわち、従来技術では、スイッチを削減することは実現できるけれども、いわゆる直感的な操作が困難であるという課題があった。
【０００６】
振る操作を繰り返すことでユーザ側の手を振る感覚が装置側の認識具合に次第に慣れていき振る操作を上達させる者もいるが、思い通りに操作できない不快感から装置の使用を断念してしまう者も少なくない。特に、初心者の場合には、直感的な操作ができずに不快感を味わう場合が多い。一旦、不快感を味わってしまうと、再びその装置の使用を望む者は少ない。
【０００７】
本発明はこのような事情に鑑みてなされたもので、スイッチを少なくすることができるとともに簡単且つ確実な操作が可能な表示装置、操作制御方法およびプログラムを提供することを目的とする。
【課題を解決するための手段】
【０００８】
前記目的を達成するために、本発明は、表示画面を有する表示部と、把持可能な把持部と、オンオフ操作可能な操作スイッチと、前記把持部により本装置に与えられる前記表示画面の面内における第１の方向の動き及び第２の方向の動きを検出する動き検出部と、前記操作スイッチがオフからオンに切り替えられた時には前記表示画面に複数のアイコンの一部を表示させ、前記操作スイッチがオフからオンに切り替えられた状態で前記動き検出部により前記第１の方向の動きが検出された時には前記表示画面に前記複数のアイコンの全体を表示させ、前記操作スイッチがオンされている間に前記動き検出部により前記第２の方向の動きが検出された時には前記第２の方向の動きとは反対の方向に前記表示画面上で前記複数のアイコンを移動させる表示制御部と、前記操作スイッチがオフされた時、前記複数のアイコンのうちで前記表示画面上の特定の位置に表示されているアイコンに割り当てられている機能を実行する機能実行部と、を備えたことを特徴とする表示装置を提供する。
【０００９】
この発明によれば、第１の作用として、ユーザが振る操作をしようと意図した期間（操作スイッチをオンしてからオフするまで間）のみ振る操作が有効になるので、ユーザが振る操作をしようと意図していない期間にユーザの手が動いてしまうこと等に因る誤動作が排除されることになる。第２の作用として、振る操作による表示画面の面内の動き（例えば左右方向）とは反対の方向にアイコンが表示画面上で移動するので、ユーザの注目アイコンがユーザの視線上で略静止しているように見えることになり、ユーザはアイコンの選択（すなわち機能の選択）をし易くなる。第３の作用として、ユーザがアイコンを選択し終わって操作スイッチをオフした時、すなわちユーザが機能の実行を開始させようと意図したタイミングで機能の実行が開始されるので、誤動作や違和感がさらに解消されることになる。したがって、スイッチを少なくすることができるとともに簡単且つ確実な操作が可能になる。
【００１０】
また、本発明は、前記表示制御部は、前記表示画面上の前記特定の位置に表示されているアイコンを前記表示画面上の他の位置に表示されているアイコンとは異なる表示態様で表示することを特徴とする表示装置を提供する。
【００１１】
この発明によれば、ユーザは所望のアイコンが表示装置で認識されているか否かを容易に知ることができ、操作性が向上する。
【００１２】
また、本発明は、画像を取得する画像取得部を備え、前記表示制御部は、前記画像取得部によって取得された前記画像と前記アイコンとを重ね合わせて前記表示画面に表示させることを特徴とする表示装置を提供する。
【００１３】
この発明によれば、ユーザは画像を見つつ操作することができ、操作性が向上する。
【００１４】
また、本発明は、前記画像取得部は、撮像素子を有し、前記動き検出部は、撮像時の手振れ補正用のセンサを用いて、前記動きを検出することを特徴とする表示装置を提供する。
【００１５】
この発明によれば、新たなセンサを追加することなく、操作性を向上させることができる。
【００１６】
また、本発明は、前記画像取得部は、撮像素子を有し、前記動き検出部は、前記撮像素子で撮像された画像に基づいて、前記動きを検出することを特徴とする表示装置を提供する。
【００１７】
この発明によれば、センサを追加することなく、操作性を向上させることができる。
【００１８】
また、本発明は、前記表示制御部は、前記動き検出部で検出された前記動きの大きさが大きいほど前記アイコンの前記表示画面上での移動量を大きくすることを特徴とする表示装置を提供する。
【００１９】
また、本発明は、前記表示制御部は、前記操作スイッチがオフからオンに切り替えられた時に、前記表示画面に前記アイコンの一部を表示させることを特徴とする表示装置を提供する。
【００２０】
この発明によれば、ユーザはアイコンの全部を表示させようとして振る操作を行うことで、アイコンの選択操作が促される。
【００２１】
また、本発明は、表示画面を有する表示部、把持可能な把持部、および、オンオフ操作可能な操作スイッチを少なくとも備えた装置における操作制御方法であって、前記把持部により前記装置に与えられる前記表示画面の面内における第１の方向の動き及び第２の方向の動きを検出するステップと、前記操作スイッチがオフからオンに切り替えられた時には前記表示画面に複数のアイコンの一部を表示させ、前記操作スイッチがオフからオンに切り替えられた状態で前記第１の方向の動きが検出された時には前記表示画面に前記複数のアイコンの全体を表示させ、前記操作スイッチがオンされている間に前記第２の方向の動きが検出された時には前記第２の方向の動きとは反対の方向に前記表示画面上で前記複数のアイコンを移動させるステップと、前記操作スイッチがオフされた時、前記複数のアイコンのうちで前記表示画面上の特定の位置に表示されているアイコンに割り当てられている機能を実行するステップと、を備えたことを特徴とする操作制御方法を提供する。
【００２２】
また、本発明は、表示画面を有する表示部、把持可能な把持部、および、オンオフ操作可能な操作スイッチを少なくとも備えた装置で実行されるプログラムであって、前記把持部により前記装置に与えられる前記表示画面の面内における第１の方向の動き及び第２の方向の動きを検出するステップと、前記操作スイッチがオフからオンに切り替えられた時には前記表示画面に複数のアイコンの一部を表示させ、前記操作スイッチがオフからオンに切り替えられた状態で前記第１の方向の動きが検出された時には前記表示画面に前記複数のアイコンの全体を表示させ、前記操作スイッチがオンされている間に前記第２の方向の動きが検出された時には前記第２の方向の動きとは反対の方向に前記表示画面上で前記複数のアイコンを移動させるステップと、前記操作スイッチがオフされた時、前記複数のアイコンのうちで前記表示画面上の特定の位置に表示されているアイコンに割り当てられている機能を実行するステップと、を実行させることを特徴とするプログラムを提供する。
【発明の効果】
【００２３】
本発明によれば、スイッチを少なくすることができるとともに簡単且つ確実な操作が可能になる。
【発明を実施するための最良の形態】
【００２４】
以下、添付図面に従って、本発明の実施形態について、詳細に説明する。
【００２５】
図１は、本発明に係る表示装置が適用された電子ルーペ１０の表面を示す外観図である。
【００２６】
図１において、電子ルーペ１０は、平板形状で形成された本体部１１、および、本体部１１から平板形状で延長した把持部１２によって構成されている。本例の電子ルーペ１０は、本体部１１の平面形状が略円形状であって、把持部１２が略棒状である。すなわち、電子ルーペ１０全体としては、いわゆる虫眼鏡の形状を有する。
【００２７】
本例の把持部１２は、手で把持し易く且つ手から電子ルーペ１０が滑り落ち難いように、平面形状を湾曲形状にして形成されている。把持部１２は、手で把持するときに指で自在に摘むことが可能なように海峡のような形状で形成された海峡形状部１３と、ストラップを取り付けることが可能なストラップ穴１４を有する。また、把持部１２の先端には、外部装置（例えば後述する図４のサーバ１４４）と通信するための通信端子１５が設けられている。
【００２８】
本体部１１の表面には、各種の表示が可能な表示画面２０と、機能選択開始指示および機能実行指示の操作に用いるファンクションスイッチ３２と、撮影指示操作に用いるレリーズスイッチ３３が配置されている。本例の表示画面２０は、液晶ディスプレイの画面であり、アイコン（図柄）、画像、テキストなど各種の表示が可能である。本例のファンクションスイッチ３２およびレリーズスイッチ３３は、オンオフ操作可能なボタン式のスイッチであって、押した状態がオン状態、離した状態がオフ状態である。
【００２９】
図２は、電子ルーペ１０の裏面を示す外観図である。
【００３０】
図２において、本体部１１の裏面には、撮影窓２２および発光部２３が設けられている。撮影窓２２は、透光性材料によって構成されており、被写体光を透過させて後述する撮影レンズ（図３の２５）および撮像素子（図３の２６）に導く。発光部２３は、例えば発光ダイオードによって構成されており、撮影時などに発光する。
【００３１】
図３は、図１の３−３線に沿った断面図である。
【００３２】
図３において、撮影窓２２から入射した被写体光は、反射鏡２４で反射されて、フォーカスレンズ、ズームレンズ等の光学レンズ群からなる撮影レンズ２５を通り、ＣＣＤ（Charge Coupled Device）などからなる撮像素子２６の受光面で受光される。すなわち、本例の電子ルーペ１０は、屈曲光学系の撮像手段を備えている。
【００３３】
手振れ検出センサ２７は、手振れを検出するセンサであり、周知の加速度センサおよびジャイロセンサによって構成されている。
【００３４】
図４は、電子ルーペ１０の機能ブロック図である。なお、図１〜図３に示した構成要素には同じ符号を付してあり、その説明を省略する。
【００３５】
図４において、電子ルーペ１０は、電子ルーペ１０の各部を統括制御するＣＰＵ（Central Processing Unit）１１０と、ＣＰＵ１１０のワーク領域やバッファメモリ等として用いられるＲＡＭ（Random Access memory）１１１と、ＣＰＵ１１０によって実行されるプログラムや固定データを記憶するＲＯＭ（Read Only Memory）１１２と、設定情報等を記憶するＥＥＰＲＯＭ（Electrically Erasable Programmable ＲＯＭ）１１３と、表示画面（図１の２０）を有する表示部１２０と、把持部（図１の１２）によって表示画面２０を有する本体部（図１の１１）に与えられる動きを検出する検出部１４０と、記録メディア１４２に対するデータの入出力を行う記録メディアインターフェース１４３と、サーバ１４４等の外部装置との通信を行う通信インターフェース１４５と、表示部１２０の表示画面２０に各種の表示を行わせる表示制御部１５２と、ユーザによって選択された各種の機能（例えば、撮影機能、事典機能、設定機能）を実行する機能実行部１６０と、撮像素子２６によって撮像された画像（撮像画像）および記録メディア１４２に記録された画像（記録画像）に対して所定の画像処理を施す画像処理部１７１と、撮影時に自動露出（ＡＥ）処理を行うＡＥ処理部１７２と、撮影時に自動焦点合わせ（ＡＦ）処理を行うＡＦ処理部１７３と、撮像画像および記録画像を拡大する処理を行うズーム処理部１７４と、撮影時に手振れを補正する手振れ補正部１７５と、を含んで構成されている。ドライバ１２１、１２３、１２５、１２６は、それぞれ表示部１２０、発光部２３、撮影レンズ２５、撮像素子２６を駆動する駆動回路である。
【００３６】
撮像素子２６から出力されるアナログの画像信号は、ＡＤ変換回路１１４でデジタルの画像信号に変換され、画像処理部１７１によってγ補正、色バランス調整等の所定の画像処理が施されて、表示部１２０、記録メディア１４２等にデジタルの画像データとして与えられる。以下では、画像信号および画像データを総称して「画像」という。
【００３７】
動き検出部１４０は、図１の把持部１２により表示画面２０を有する本体部１１に与えられる表示画面２０の面内における動きを検出する。具体的には、図１に４つの矢印で示す「右側方向」Ｒ、「左側方向」Ｌ、「向う側方向」Ｆ（または「上側方向」という）、および、「手前側方向」Ｎ（または「下側方向」という）の各方向別の動きを検出する。言い換えると、表示画面２０に平行な面方向での表示画面２０の動きを検出する。回転方向の動きも検出するようにしてよい。
【００３８】
動き検出の態様としては、加速度センサ等のセンサを用いて直接的に検出する態様、撮像素子２６によって時系列で連続的又は断続的に撮像されている画像（撮像画像）から動きベクトルを検出する態様などがある。これらの動き検出は周知の技術を応用することができる。
【００３９】
本例の電子ルーペ１０では、撮像時の手振れを補正するために使用されているセンサ（図３の加速度センサ２７など）を用いて動き検出を行っている。手振れ補正時と同様にジャイロセンサを用いて回転方向の動きも検出してよい。
【００４０】
表示制御部１５２は、画像、アイコン（図柄）、テキスト等を、表示部１２０の表示画面２０に表示させる制御を行う。
【００４１】
本例の表示制御部１５２は、取得された画像と機能選択用の複数のアイコンとを重ね合わせて表示させる。具体的には、撮像素子２６で撮像された撮像画像または記録メディア１４２から記録メディアインターフェース１４３を介して取得された記録画像を、ＲＡＭ１１１に一次的に記憶させて、ファンクションスイッチ３２がオンされている間、ＲＡＭ１１１内の画像に機能選択用のアイコンを重畳する処理を行う。そして重畳された画像（重ね合わせ画像）を表示部１２０に与える。なお、重畳処理機能は、表示部１２０に持たせてもよい。
【００４２】
機能選択用アイコンは、表示制御部１５２により、ファンクションスイッチ３２の操作状態および表示画面２０の動きに応じて、以下のように表示態様が切り換えられる。
【００４３】
第１に、ファンクションスイッチ３２がオフからオンに切り替えられた時、すなわちユーザがファンクションスイッチ３２を押した時に、表示制御部１５２は、図５に示すように、機能選択用の複数のアイコン５１、５２、５３を部分的に表示画面２０に表示させる。本例では、ファンクションスイッチ３２が押された時に、アイコン５１〜５３の頭部（例えばアイコン全体の１／２）のみが表示画面２０の端部に出現する。ユーザにはファンクションアイコンが表示されたことが判り、かつ画面に大きく表示されないのでじゃまにならない。
【００４４】
第２に、ファンクションスイッチ３２が時系列で連続してオンされている期間、すなわちユーザがファンクションスイッチ３２を押している間、表示制御部１５２は、動き検出部１４０により検出される動きとは反対の方向に機能選択用のアイコン５１〜５３を表示画面２０上で移動させる。ここで、動き検出部１４０で検出された動きの大きさが大きいほどアイコン５１〜５３の表示画面２０上での移動量を大きくする。また、ファンクションスイッチ３２が連続してオンされている期間、複数のアイコン５１〜５３のうちで表示画面２０上の特定位置（例えば略中央の位置）に表示されているアイコンを、他の位置に表示されているアイコンとは異なる表示態様（例えば点滅表示）で表示させる。
【００４５】
電子ルーペ１０が水平に把持された状態で、ファンクションスイッチ３２が押されて、図５に示す表示状態になったとする。この図５の表示状態で、把持部１２をユーザに近づける手前側方向Ｎに引いたとき、すなわち手前側方向Ｎに表示画面２０が移動したときには、図６（Ｂ）に示す表示状態に変更する。図６（Ｂ）の表示状態で、把持部１２をユーザから見て左側方向Ｌに振ったとき、すなわち左側方向Ｌに表示画面２０が移動したときには、図６（Ａ）に示す表示状態に変更する。図６（Ａ）の表示状態で、把持部１２をユーザから見て右側方向Ｒに振ったとき、すなわち右側方向Ｒに表示画面２０が移動したときには、図６（Ｂ）に示す表示状態に戻し、さらに右側方向Ｒに表示画面２０が移動したときには、図６（Ｃ）に示す表示状態に変更する。また、把持部１２をユーザから遠ざける方向Ｆ（向う側方向）に押したとき、すなわち向う側方向Ｆに表示画面２０が移動したときには、アイコン５１〜５３の上部のみを表示させた状態（例えば図５に示す表示状態）に変更する。
【００４６】
本例では、図６（Ａ）の表示状態では符号５３のアイコンが中央アイコンとして点滅しており、図６（Ｂ）の表示状態では符号５２のアイコンが中央アイコンとして点滅しており、図６（Ｃ）の表示状態では符号５１のアイコンが中央アイコンとして点滅している。すなわち、表示画面２０上の特定位置に表示されているアイコンを強調して表示させている。点滅表示以外の表示態様を用いてよい。例えば、中央アイコンを、枠付きで表示、他のアイコンよりも大きなサイズで表示、他のアイコンよりも濃い濃度で表示、他のアイコンとは異なる色（赤色）で表示、あるいは、濃度（例えば白黒）を反転させて表示などするようにしてもよい。
【００４７】
また本実施例では、ファンクションスイッチ３２がオフからオンに切り替えられた時、すなわちユーザがファンクションスイッチ３２を押した時に、表示画面２０の初期表示状態を図５のようにアイコン５１〜５３の上部のみを表示させた状態としたが、図６（Ｂ）のように、最初からアイコン５１〜５３の全体を表示させてもよい。この場合は、ユーザが左右方向に電子ルーペ１０を振るだけでファンクションを選択出来る。また、ファンクションスイッチ３２が押された時に表示画面２０の中央に表示させるアイコン（中央アイコン）を撮影機能に設定しておけば、ファンクションスイッチ３２を押して離しただけで撮影が実行され、ファンクションスイッチ３２が擬似的にシャッタースイッチとして機能する。
【００４８】
図７の（Ａ）、（Ｂ）および（Ｃ）は、それぞれ図６の（Ａ）、（Ｂ）および（Ｃ）に対応し、ファンクションスイッチ３２がオンされている期間におけるユーザの視線２１０とアイコン５１〜５３の位置との対応関係を示す。ユーザが把持部１２を持って電子ルーペ１０を左側方向Ｌまたは右側方向Ｒに振ると、表示画面２０上ではアイコン５１〜５３が左または右に移動することになるけれども、図７（Ａ）（Ｂ）および（Ｃ）に示すように、ユーザが特定のアイコン（例えば符号５２のアイコン）に注目している場合には、ユーザの視線２１０上ではそのアイコン５２が略静止して見える。すなわち、ユーザの注目アイコン５２は、空間上位置が動かないように表示される。そして、図７（Ｂ）に示すように、注目アイコン５２が中央アイコンとして点滅している状態で、ファンクションスイッチ３２をオフすると、そのタイミングで注目アイコン５２に対応する機能が実行される。このように、ユーザの注目アイコンは略静止して見え、また、注目アイコンが表示画面２０上で特定位置に配置されたときに強調して表示され、また、注目アイコンが強調表示されているときにファンクションスイッチ３２をオフすれば、そのタイミングで所望の機能の実行が開始されるので、ユーザは、直感的に、簡単且つ確実に操作できることになる。
【００４９】
また第３に、ファンクションスイッチ３２がオンからオフに切り替えられた時、すなわちユーザがファンクションスイッチ３２を離した時に、表示制御部１５２は、機能選択用のアイコン５１〜５３を表示画面２０から消去する。言い換えると、画像とアイコンとの重畳処理を終了し前述の注目アイコンに対応する機能が実行される。
【００５０】
なお、図７では、注目アイコン５２が完全に静止して見えるものとして描いてあるが、実際には、ユーザの目と表示画面２０との間の距離、表示画面２０と主要被写体との間の距離、表示画面２０に対する視線２１０の角度等によって、注目アイコン５２が固定の線（図７の２１０）から厳密には外れる場合がある。しかし、注視しているものが動いても、その動きが僅かであれば、人体工学上、静止していると視認される。
【００５１】
機能実行部１６０は、ファンクションスイッチ３２がオンからオフに切り替わった時、特定位置のアイコンに割り当てられている機能を実行する。例えば、中央アイコン（表示画面２０上でアイコン５１〜５３の配列方向において略中央に位置し且つ強調表示されているアイコンである）に割り当てられている機能を実行する。
【００５２】
本例の機能実行部１６０は、撮影機能を実行する撮影機能実行部１６１と、事典機能を実行する事典機能実行部１６２と、設定機能を実行する設定機能実行部１６３を有する。
【００５３】
撮影機能実行部１６１は、撮像素子２６で被写体を撮像して得られた画像を、記録メディアインターフェース１４３を介して、記録メディア１４２に記録する。例えば、図８に示すように、主要被写体として昆虫を撮影する場合、表示画面２０に昆虫が表示されている状態でレリーズスイッチ３３を押すことにより、昆虫の画像が記録メディア１４２に記録される。
【００５４】
本例の撮影機能実行部１６１は、ズーム処理部１７４によって拡大された画像を表示画面２０に表示させる。本例のズーム処理部１７４は、撮影レンズ２５に含まれているズームレンズの位置を制御する光学ズーム機能と、撮像素子２６で得られた画像を画像処理部１７１によって拡大するデジタルズーム機能を有している。本例では、後述の設定機能を用いることにより、望みの倍率を予め設定しておくことが可能である。ズームスイッチを追加することにより、リアルタイムにズーム可能に構成してもよいことは、勿論である。
【００５５】
なお、図８では、実際の昆虫と表示画面２０上の昆画画像とが略同じ大きさで描かれているけれども、撮像素子２６で取得される昆虫画像は小さく、これをズーム処理により拡大して表示画面２０に表示させている。つまり、ユーザは、虫眼鏡を使用している感覚で小さな昆虫を拡大して見ることができる。また、画像処理部１７１の画像処理によって、鮮明な画像が表示画面２０に表示される。
【００５６】
事典機能実行部１６２は、電子ルーペ１０で取得した画像内の主要被写体の種類を特定し、その主要被写体に関する事典情報を、表示画面２０に表示させる。例えば、昆虫を撮像した場合、図９に示すように、昆虫に関する事典情報２２０を表示させる。したがって、ユーザは、単に昆虫を拡大して見たり撮影して楽しむだけではなく、昆虫に関する知識を深めることができる。
【００５７】
図９において、データベース８０には、様々な被写体（例えば、クワガタムシ、カブトムムシなどの昆虫）の種類ごとに、固有の画像特徴量（例えば、色、形状、サイズなど）と、その被写体の事典情報（例えば、学名、生息地、繁殖時期、関連画像など）が、登録されている。このようなデータベース８０は、電子ルーペ１０およびサーバ１４４のいずれに備える態様でもよい。
【００５８】
データベース８０を電子ルーペ１０に備える場合、例えば記録メディア１４２あるいはＥＥＰＲＯＭ１１３をデータベース８０として用い、画像特徴量や事典情報を記憶させておく。この場合、事典機能実行部１６２は、画像から主要被写体の画像特徴量を抽出し、抽出した画像特徴量および付帯情報（撮影地域、撮影時期など）と、データベース８０で管理されている各昆虫の画像特徴量および事典情報とを比較し、比較結果としての類似度（確からしさ）に応じて、画像内の主要被写体の種類を特定し、撮像画像、事典情報などを表示画面２０に表示させる。
【００５９】
設定機能実行部１６３は、ユーザに選択された設定情報をＥＥＰＲＯＭ１１３に記憶させる。設定情報の選択操作は、ファンクションスイッチ３２を用いたスイッチ操作と、アイコン表示を用いた振る操作とによって行うことができる。
【００６０】
機能実行部１６０によって実行される機能の一例として、撮影機能、事典機能および設定機能を説明したが、これらの機能には特に限定されない。例えば、記録メディア１４２に記録されている画像を表示画面２０に表示させる画像再生機能、撮影した画像を添付した電子メールを通信インターフェース１４５によって送信する電子メール機能など、他の機能を具備してもよいことは、勿論である。
【００６１】
なお、図４において、表示制御部１５２、画像処理部１７１、ＡＥ処理部１７２、ＡＦ処理部１７３、ズーム処理部１７４および手振れ補正部１７５は、これらの一部または全部をＣＰＵ１１０によって構成してもよい。
【００６２】
本例の電子ルーペ１０では、電源スイッチが省略されており、ファンクションスイッチ３２を用いて電源のオンオフ操作を行うようになっている。例えば、電源オフ状態でファンクションスイッチが一定時間以上長く押されたとき、電子ルーペ１０を電源オン状態にする。電源オフ状態では、ＣＰＵ１１０などごく限られた部分のみに電源が供給されており、電源オン状態では撮像素子２６、表示部１２０、動き検出部１４０等の各部に電源が供給される。
【００６３】
また、図６では図示を省略したが、電源オフ機能が割り当てられたアイコン（電源オフアイコン）も選択可能である。具体的には、ファンクションスイッチ３２を押した状態で、電源オフアイコンを選択し、ファンクションスイッチ３２を離すことにより、電源オフが実行される。電源オフアイコンが選択されている場合には、前述の画像とアイコンとの重畳処理を終了することなく電源オフシーケンスを実行してもよい。長時間（例えば１０分）にわたって操作（スイッチ操作および振る操作）が何も行われなかったとき、電源を自動的にオフするオートパワーオフ機能を備えてもよい。
【００６４】
次に、図１〜図４に示した電子ルーペ１０における操作制御処理の一例について、図１０のフローチャートを用いて説明する。このフローチャートは、機能の選択および実行に関する処理の流れの概略を示す。図１０に示す処理は、図４のＣＰＵ１１０により、プログラムに従って、実行される。
【００６５】
なお、既に電子ルーペ１０の電源はオンされているものとして、その後の処理をここでは説明する。
【００６６】
ステップＳ２にて、撮像素子２６によって連続的に撮像されている画像（撮像画像）は、画像処理部１７１で所定の画像処理（例えば色や明るさの調整処理）が施された後、表示部１２０に与えられる。これにより、表示画面２０にプレビュー画像が表示される。
【００６７】
ステップＳ４にて、ファンクションスイッチ３２が押されたか否か、すなわちファンクションスイッチ３２がオフからオンに切り替えられたか否かを、判定する。ファンクションスイッチ３２が押されたときにはステップＳ６に進み、押されていないときにはステップＳ２に戻る。
【００６８】
ステップＳ６にて、動き検出部１４０に動き検出の初期化を行わせる。動き検出に加速度センサを用いる態様では、例えば変数としての速度または現在位置をリセットする。撮像画像中の動きベクトルを検出する態様では、例えば基準画像として現在の撮像画像を記憶する。
【００６９】
ステップＳ８にて、動き検出部１４０により、電子ルーペ１０の本体部１１の動きを検出する。具体的には、把持部１２により電子ルーペ１０の本体部１１に与えられる表示画面２０に平行な面における動きを検出する。動き検出に加速度センサを用いる態様では、例えば測定された加速度から速度または現在位置を算出する。撮像画像中の動きベクトルを検出する態様では、例えば基準画像と現在の撮像画像とを比較した後に現在画像を基準画像に切り替える。
【００７０】
ステップＳ１０にて、動き検出部１４０の検出結果に基づいて、動き有りか否かを判定する。動き有りの場合には、ステップＳ１２に進み、動き無しの場合には、ステップＳ８に戻る。
【００７１】
ステップＳ１２にて、動き検出部１４０の検出結果に応じて、表示制御部１５２により表示画面２０にアイコンを表示させる。具体的には、機能が割り当てられている複数のアイコンを表示画面２０に表示させて、ファンクションスイッチ３２が連続してオンされている間、動き検出部１４０で検出される動きとは反対の方向に表示画面２０上でアイコンを移動させる。すなわち、表示画面２０上では実際にはアイコンが移動しても、ユーザの視線上ではアイコンが略静止して見えるようにできる。これにより、ユーザは所望の機能が割り当てられているアイコンを選択し易くなる。
【００７２】
また、ステップＳ１４にて、表示制御部１５２により、表示画面２０上の中央アイコンを点滅表示（または枠付表示）させる。すなわち、中央アイコンを強調して見せる。
【００７３】
ステップＳ１６にて、ファンクションスイッチ３２が押された後に離されたか否か、すなわちファンクションスイッチ３２がオンからオフに切り替えられたか否かを、判定する。ファンクションスイッチ３２が離されたときにはステップＳ１８に進み、ファンクションスイッチ３２が押され続けているときにはステップＳ８に戻る。
【００７４】
ステップＳ１８にて、ファンクションスイッチ３２が離されたときには、機能実行部１６０により、中央アイコンに対応する機能を実行する。
【００７５】
なお、実行する機能が電源オフ機能の場合には本処理を終了し（ステップＳ２０）、それ以外の機能を実行した場合には、ステップＳ２に戻る。
【００７６】
図１１は、他の例の電子ルーペ１００の表面を示す外観図である。なお、図１１において、図１に示した構成要素と同じ構成要素には同じ符号を付してあり、ここでは異なる点のみを説明する。
【００７７】
本例では、レリーズスイッチ（図１の３３）が省略されており、ファンクションスイッチ３２がレリーズスイッチの機能を兼ねる。
【００７８】
例えば、撮影機能が選択されている状態では、ファンクションスイッチ３２が押されてから（オフからオンに切り替えられてから）の経過時間をＣＰＵ１１０が計時し、予め決められた閾値（例えば２秒）以内にファンクションスイッチ３２が離された場合（規定時間以内にオンからオフに切り替えられた場合）には、レリーズスイッチが押されものとして扱い撮影を行う一方で、閾値を超えてからファンクションスイッチ３２が離された場合には、選択された機能を実行するようにする。
【００７９】
なお、本発明は、本明細書において説明した例や図面に図示された例には限定されず、本発明の要旨を逸脱しない範囲において、各種の設計変更や改良を行ってよいのはもちろんである。
【００８０】
例えば、図１および図２において、スイッチ（例えば、電源スイッチ、ズームスイッチ）の追加を行ってもよい。また、アイコンの配列は図６に示したような左右方向とは異なる方向（例えば上下方向）に配列してもよい。
【００８１】
また、本発明を電子ルーペに適用した場合を説明したが、表示画面を有する装置であれば、電子ルーペ以外の表示装置（例えば、デジタルスチールカメラ、デジタルビデオカメラ、携帯電話）に適用できることは、勿論である。
【図面の簡単な説明】
【００８２】
【図１】本発明が適用された電子ルーペの一例の表面の外観図
【図２】図１の電子ルーペの裏面の外観図
【図３】図１の電子ルーペの断面図
【図４】図１の電子ルーペのブロック図
【図５】ファンクションスイッチがオンされたときのアイコン表示例を示す説明図
【図６】ファンクションスイッチがオンされている間のアイコン表示例を示す説明図
【図７】ユーザの視線とアイコンの位置との対応関係を示す説明図
【図８】撮影機能の説明に用いる説明図
【図９】事典機能の説明に用いる説明図
【図１０】本発明が適用された操作制御処理の一例の流れを示すフローチャート
【図１１】電子ルーペの他の例を示す外観図
【符号の説明】
【００８３】
１０、１００…電子ルーペ（表示装置）、１１…本体部、１２…把持部、１３…海峡形状部、１４…ストラップ穴、２０…表示画面、２２…撮影窓、２３…発光部、２５…撮影レンズ、２６…撮像素子、３２…ファンクションスイッチ、３３…レリーズスイッチ、５１、５２、５３…アイコン、１１０…ＣＰＵ、１２０…表示部、１４０…動き検出部、１５２…表示制御部、１６０…機能実行部
【図１】
0005053158.tif 000002
【図２】
0005053158.tif 000003
【図３】
0005053158.tif 000004
【図４】
0005053158.tif 000005
【図５】
0005053158.tif 000006
【図６】
0005053158.tif 000007
【図７】
0005053158.tif 000008
【図８】
0005053158.tif 000009
【図９】
0005053158.tif 000010
【図１０】
0005053158.tif 000011
【図１１】
0005053158.tif 000012